(57)【要約】トイレボウルクリーナのようなクリーニング化学薬品を分配するためにディスペンサが設けられる。それは、浮動するシャトルを中に包含する投与チャンバを有し、浮動シャトルは、投与チャンバの下部開口をシールすると共に浮上して、次のサイクル中に確定量の化学薬品が放出準備される。また、フロート制御される外部バルブピンが、投与チャンバの下部開口を選択的に開閉するために、ディスペンサ下端に設けられる。タンク内の水位は、バルブピンの動きを制御し、クリーナ化学薬品の分配は、浮動シャトルの動きを制御する。グロメットは、バルブピン及び浮動シャトルの双方のためにバルブシートを提供する。
2004522021.tif 000002
【特許請求の範囲】
【請求項１】
液位が上下動し得るタンクに使用するディスペンサにおいて、
容器と、
容器に取付けるためのアダプタと、
浮動するシャトルを内部に有する、アダプタ内の投与チャンバであって、該シャトルが、１つのモードでは投与チャンバの下部開口を実質的にシールでき、シールモードでは離間するように上方に選択的に浮動できる、投与チャンバと、
投与チャンバの下部開口を選択的に開閉するための投与チャンバ外部に位置決めされる浮動し得るバルブヘッドと、
を含むディスペンサ。
【請求項２】
容器は、分配可能な製品を含み、投与チャンバ内の製品レベル位置は、投与チャンバ内の浮動シャトルの動きを制御し得る、請求項１記載のディスペンサ。
【請求項３】
浮動シャトルのためのバルブシートを構成するために投与チャンバの下部開口の近傍に位置決めされる投与チャンバと一体でないグロメットを更に有する、請求項１記載のディスペンサ。
【請求項４】
グロメットは、浮動するバルブヘッドのためのバルブシートを提供する、請求項３記載のディスペンサ。
【請求項５】
浮動バルブヘッドのためのバルブシートは、実質上、半球状の外観を有する、請求項４記載のディスペンサ。
【請求項６】
グロメットは、第１材料から構成される上部層と、第１材料とは異なる第２材料から構成される下部層と、から形成され、浮動シャトルのためのバルブシートは、第１材料から構成され、浮動バルブヘッドのためのバルブシートは、第２材料から構成される、請求項３記載のディスペンサ。
【請求項７】
容器内への空気口を更に含む、請求項１記載のディスペンサ。
【請求項８】
空気口はエアポケットによって囲まれる、請求項７記載のディスペンサ。
【請求項９】
浮動バルブヘッドはリザーバによって囲まれる、請求項７記載のディスペンサ。
【請求項１０】
容器の開口は容器がディスペンサに関係するときに穿孔されるシール残余物を含み、アダプタは、シールを穿孔した投与チャンバ上方の穿孔要素を有する、請求項７記載のディスペンサ。
【請求項１１】
容器は、実質上、剛性プラスチック容器である、請求項１０記載のディスペンサ。
【請求項１２】
容器は詰め替えポートを含む、請求項７記載のディスペンサ。
【請求項１３】
容器は可撓性ポーチである、請求項７記載のディスペンサ。
【請求項１４】
製品は、流動性ゲル又は液体から成るグループから選択したクリーニング薬剤を含む、請求項２記載のディスペンサ。
【請求項１５】
浮動シャトルは、製品の比重よりも低い比重を有する、請求項２記載のディスペンサ。
【請求項１６】
ディスペンサがタンクに装着され、タンク内の液位が所定の満タンレベルであるとき、浮動バルブヘッドは、投与チャンバの下部開口をシールする位置まで液体により駆動され得る、請求項１記載のディスペンサ。
【請求項１７】
ディスペンサがタンクに装着され、タンク内の液体が空であるとき、バルブヘッドは、投与チャンバ内の製品投与分がディスペンサから分配され得るようにするために、投与チャンバの下部開口をシールする位置から遠ざかるように下降し得る、請求項１６記載のディスペンサ。
【請求項１８】
液位が上下動し得るタンクに使用するディスペンサにおいて、
クリーニング液体を含む容器と、
容器に取付けるためのアダプタと、
浮動するシャトルを内部に有するアダプタ内の投与チャンバであって、該シャトルが、１つのモードでは投与チャンバの下部開口を実質的にシールでき、シールモードでは離間するように上方に選択的に浮動できる、投与チャンバと、
投与チャンバの下部開口を選択的に開閉するための投与チャンバ外部に位置決めされる浮動し得るバルブヘッドと、
を含むディスペンサ。
【請求項１９】
水収容タンク及びボウルを有するトイレのクリーニング方法において、
（a）ディスペンサが、分配できる製品を含む容器と、容器に取付けるためのアダプタと、浮動するシャトルを内部に有する、アダプタ内の投与チャンバであって、該シャトルが、１つのモードでは投与チャンバの下部開口を実質的にシールでき、シールモードでは離間するように上方に選択的に浮動できる、投与チャンバと、投与チャンバの下部開口を選択的に開閉するための投与チャンバ外部に位置決めされる浮動し得るバルブヘッドと、を含み、ディスペンサが、タンクの水位が浮動バルブヘッドの動きを制御し且つ投与チャンバ内の製品レベルが投与チャンバ内の浮動シャトルの動きを制御するように配置及び構成される、該ディスペンサをタンクに挿入するステップと、
（b）トイレを洗浄するステップと、
を含む方法。
【請求項２０】
浮動シャトルのためのバルブシートを構成するために投与チャンバの下部開口の近傍に位置決めされる投与チャンバと一体でないグロメットを更に有する、請求項１９記載の方法。
【請求項２１】
タンク内の水位が所定レベルよりも下である間はディスペンサが製品を分配する、請求項１９記載の方法。
【発明の詳細な説明】
【技術分野】
【０００１】
本発明は、液体位置が上下動するような液体（特には、水）の中で使用されるディスペンサに関する。それは、其のような液体をクリーニング及び／又はフレッシュニングするためのディスペンサに特に適しているか、又は、処理済みの水を保持するトイレボウル等の下流側の容器に特に適している。
【０００２】
〔関連する出願のクロスリファレンス〕
これは、２００１年５月１１日に提出した米国仮出願に基づく優先権を主張する一部継続出願である。
【０００３】
〔連邦政府が後援する研究／開発に関する記載〕
適用なし
【背景技術】
【０００４】
水タンク内に１以上の化学薬品を自動分配するために、様々のディスペンサが存在する。
【０００５】
以下の特許文献の開示内容及び本願明細書で言及される他の刊行物の総ては、完全に本願明細書に記載されている如く参考のために組込まれる。
【特許文献１】米国特許第5,924,142号明細書
【特許文献２】米国特許第5,903,930号明細書
【特許文献３】米国特許第5,839,128号明細書
【特許文献４】米国特許第5,718,261号明細書
【特許文献５】米国特許第D376,840号明細書
【特許文献６】米国特許第5,551,095号明細書
【特許文献７】米国特許第5,488,742号明細書
【特許文献８】米国特許第D365,138号明細書
【特許文献９】米国特許第5,152,015号明細書
【特許文献１０】米国特許第5,090,443号明細書
【特許文献１１】米国特許第5,038,417号明細書
【特許文献１２】米国特許第4,915,260号明細書
【特許文献１３】米国特許第4,696,414号明細書
【特許文献１４】米国特許第4,663,786号明細書
【特許文献１５】米国特許第4,660,231号明細書
【特許文献１６】米国特許第4,534,071号明細書
【特許文献１７】米国特許第4,429,809号明細書
【特許文献１８】米国特許第4,346,483号明細書
【特許文献１９】米国特許第4,285,074号明細書
【特許文献２０】米国特許第4,189,793号明細書
【特許文献２１】米国特許第4,101,043号明細書
【特許文献２２】米国特許第3,874,007号明細書
【特許文献２３】米国特許第3,778,850号明細書
【特許文献２４】米国特許第3,698,021号明細書
【特許文献２５】米国特許第2,587,388号明細書
【特許文献２６】米国特許第1,602,554号明細書
【特許文献２７】英国特許出願第2,167,041号明細書
【特許文献２８】欧州特許出願第1,026,331号明細書
【特許文献２９】国際公開番号第ＷＯ99/08076号公報
【発明の開示】
【発明が解決しようとする課題】
【０００６】
しかしながら、上記従来の自動ディスペンサは一般的に不都合を有する。例えば、或るものは、分配しようとする製品が統制のとれない形で或るときディスペンサから漏出する傾向を有し、製品の過剰投与（無駄）を引き起こす。或るものは、水位（レベル）が変化するときに分配される所定量の製品に対して適切な制御を行うことができない。更に、他のものは、クリーニング及び／又はフレッシュニング薬剤を放出する能力を提供せず、従って、洗浄後には、それが（大部分の活性材料が水洗水と共に排出されるのを阻止するために）極めて濃縮した状態でトイレボウル内に維持される。
【０００７】
更に、其のようなディスペンサの或るもの（良好な性能を提供する）は、製造するのに著しく費用がかかり、従って、家庭のトイレボウルのクリーニングのような幾つかの用途において実用的でない。
【０００８】
多くの自動化されたディスペンサシステムは、水位の変化に応じた分配制御に役立つようにタンク内の水位に従動する特定タイプのフロートを使用しているが、其のようなフロートシステムでも、上記不安材料の総てを完全に解決してはいない。従って、改善されたディスペンサが希求されている。
【課題を解決するための手段】
【０００９】
本発明は、１つの側面では、液位が上下動し得るタンクに使用するディスペンサを提供する。本ディスペンサは、容器と、容器に取付けるためのアダプタと、浮動するシャトルを内部に有する、アダプタ内の投与チャンバであって、該シャトルが、１つのモードでは投与チャンバの下部開口を実質的にシールでき、シールモードでは離間するように上方に選択的に浮動できる、投与チャンバと、投与チャンバの下部開口を選択的に開閉するための投与チャンバ外部に位置決めされる浮動し得るバルブヘッドと、を含む。
【００１０】
好適な形態において、容器は、分配可能な製品を含み、投与チャンバ内の製品レベル位置は、投与チャンバ内の浮動シャトルの動きを制御し得る。また、浮動シャトルのためのバルブシートを構成するために投与チャンバの下部開口の近傍に位置決めされる投与チャンバと一体でないグロメットを設けることができる。グロメットは、浮動し得るバルブヘッドのためのバルブシートを提供できる（例えば、浮動バルブヘッドがその上端部で半球状を有する場合、グロメット上の浮動バルブヘッド用のバルブシートは実質上半球の外観を有することができる）。特に望ましい形態において、グロメットは、第１材料から構成される上部層と、第１材料とは異なる第２材料から構成される下部層と、から形成される。浮動シャトルのためのバルブシートは、第１材料から構成され、浮動バルブヘッドのためのバルブシートは、第２材料から構成される。これにより、下部層を耐悪化性の材料で形成できながら、上部層のためのバルブシートの柔らかさ（softness）を最適化できる。別の形態においては、エアポケットによって囲まれる、容器内への空気口を設けることができる。これにより、製品分配時におけるゴボゴボ音を回避できる。
【００１１】
浮動バルブヘッドは、リザーバによって囲むことができる。洗浄サイクル中に、リザーバ内に水が集まり、望ましくない蓄積や目詰まりを避けるためにバルブヘッドから製品を洗い流す。
【００１２】
容器は交換式のボトルにすることができる。其のような容器缶の開口は、装着後において、容器がディスペンサに関係するときに穿孔されるシール残余物を含む。このタイプの交換式ボトルの使用時に、アダプタは、好ましくは、シールを穿孔した投与チャンバ上方の穿孔要素を有す。これにより、消費者は、望ましくない形式でクリーナ製品の液飛びやばらまきを伴わずに、詰め替えボトルの装着が可能となる。別の形態においては、容器は、詰め替えポートを具備し、実質上、剛性プラスチックから形成可能である。
【００１３】
或いは、容器は可撓性ポーチにすることができる。其の場合、容器が空のときの通気に関する或る種の不安を回避できる。
【００１４】
製品は、液体又は流動性ゲルにすることができるが、シャトルは、製品の比重よりも低い比重を有しなければならない。この点に関して、シャトルが製品の比重よりも低い比重を有すると、（トイレタンクが再充填される洗浄サイクルの終了時点で）バルブヘッドがディスペンサを再度シールした後には、大きな比重の製品は、シャトル下の投与チャンバの中に流れ落ちることができ、シャトルを浮上させる。次の洗浄サイクルで分配されるように準備されるべき確定した量の製品を形成できる。
【００１５】
タンク内の液体レベル（液位）は、バルブシートに対する浮動バルブヘッドの位置を制御する。これにより、投与チャンバ内の製品レベルを変化させることができ、浮動シャトルの動きがもたらされる。
【００１６】
別の形態において、本発明は、水収容タンク及びボウルを有するトイレのクリーニング方法を提供する。タンク内には、ディスペンサが挿入され、該ディスペンサは、分配できる製品を含む容器と、容器に取付けるためのアダプタと、浮動するシャトルを内部に有する、アダプタ内の投与チャンバであって、該シャトルが、１つのモードでは投与チャンバの下部開口を実質的にシールでき、シールモードでは離間するように上方に選択的に浮動できる、投与チャンバと、投与チャンバの下部開口を選択的に開閉するための投与チャンバ外部に位置決めされる浮動し得るバルブヘッドと、を含む。ディスペンサは、タンクの水位が浮動バルブヘッドの動きを制御し且つ投与チャンバ内の製品レベルが投与チャンバ内の浮動シャトルの動きを制御するように配置及び構成される。そして、トイレは洗浄される。
【００１７】
トイレボウルクリーナに関して、トイレタンク水に使用するのに最近推奨されるような公知の高濃度の流動性トイレボウルクリーニング材料のいずれもが使用可能であるし、或いは、他のものは界面活性剤、染料、芳香剤及び／又は他のクリーニング薬剤（酸、キレート試薬等）を用いて発展可能である。
【００１８】
スイミングプールに関して、公知の流動性のプールクリーニング及び／又はウォータートリートメント化学薬品が使用可能である。
【００１９】
ディスペンサがタンクに装着され、タンク内の水位が所定満タンレベルにある場合に、浮動バルブヘッドは、投与チャンバの下部開口をシールする位置まで水によって上昇せしめられるように設計される。これにより、浮動シャトルがシール位置から離れるように上昇しても、投与チャンバ内の製品レベルは上昇できる。タンク内の水が下降するか又は空になるとき（典型的には、トイレが洗浄されるとき）、バルブヘッドは、投与チャンバの下部開口をシールする状態から遠ざかるように下降し、これにより投与チャンバ内の所定投与量の製品がディスペンサから放出可能となる。水位が急激に降下するときに製品が洗浄サイクルの所定段階中に分配されるということは、洗浄サイクルの後半部でボウルに製品が分配されるということを確実化するのに役立つ。従って、クリーナの大半は、廃棄物と共に下水道に急激に流されることはない。これにより、ボウル水の中や排水の間のボウル側部に沿うクリーナの集積が増える。また、本装置は比較的安価に製造できる。更に、消費者が液飛びや無駄を伴うことなく迅速に詰め替えを行えるように設計される。本発明のこれらや他の特徴及び利点の更なる細目的な理解は、（本発明の好適な実施態様が図示及び記載されている）図面及び添付説明の参照によって可能になる。
【発明の効果】
【００２０】
本発明によれば、従来の不都合を回避できる。
【発明を実施するための最良の形態】
【００２１】
図１及び２を参照すると、本発明のインタンク型アダプタ１００は、水中に長期に浸すのに耐えることができ、ポリプロピレン及び/又はアクリルのようなそれが分配する製品の腐食効果に耐えることができる耐久性材料から形成される。好適実施形態に係るクリーニング及び/又はフレッシュニング薬剤は、好ましくは流体であり、更に好ましくは液体又はゲルであり、また、好ましくは１００センチポアズ未満、更に好ましくは３０センチポアズ未満、それよりも好ましくは１０センチポアズ未満の粘性を有する。粘性は、０センチポアズより大きい。
【００２２】
アダプタ主要部１１０は、剛性ボトルや可撓性ポーチや中に分配可能製品を有する他の容器に対するディスペンサの装着を可能にする。また、アダプタ主要部１１０は、スナップ嵌合やネジ式スクリューオン機構や他の緊密シール取り付け方法を用いるディスペンサ及びボトルの間の水密シールを提供する。
【００２３】
好ましくは、アダプタ１１０は、アダプタ１１０がボトルに装着されてひっくり返されると製品（例えば、便器用洗剤）で満たされるステージングチャンバ１２０を有する。ステージングチャンバは、下側境界を提供する狭窄な首部１３０を有する。
【００２４】
また、首部１３０は、投与チャンバ１４０の上側境界を提供する。投与チャンバ内では、所定量の製品がトイレタンクのような水本体の中に放出される用意ができている。首部１３０は、投与チャンバ１４０の中にある浮動シャトル１４５よりも狭くなっている。浮動シャトル１４５は、投与チャンバ１４０から出ること及びステージングチャンバ１２０に入ることが制限される。
【００２５】
投与チャンバ１４０の下端には、出口穴１５０が形成され、両側は、投与チャンバ１４０内でシャトル１４５が自由に上下動できるように、浮動シャトル１４５よりも僅かに大きな寸法で離隔されている。
【００２６】
浮動シャトル１４５は、分配されるべき製品よりも低い比重（specific gravity）を有する材料から形成される。シャトル１４５は、製品がシャトル下側を通るときに、バルブ出口１５０が閉じている場合は、投与チャンバ１４０内で製品上を浮遊する。前記製品比重は、浮動シャトルの所定比重よりも好ましくは約２５％（更に好ましくは約１５％）高い値よりは小さく、また、浮動シャトルの所定比重よりも好ましくは約１％（更に好ましくは５％）高い値よりは大きい。例えば、シャトルは、比重が約０．９のポリプロピレン製中空シャトルにすることができ、分配されるべき製品は、約１の比重を有する液体にすることができる。
【００２７】
バルブ出口穴１５０は、フロート１５４に取り付けられる可動な外側バルブヘッド１５２によって主として制御される。バルブヘッド１５２は、タンク内に存在する水量に応じてバルブ出口穴１５０を開閉する。これにより、アダプタから水本体に放出されるべき製品の投与が可能になる。バルブ出口穴１５０は、ポリプロピレン又はアクリルから形成されるシール面を任意に有することができ、更に好ましくは、シリコンラバーから成るソフトシールを有することができる。好適実施態様における外側バルブヘッド１５２はシャトル１４５と接触しないということに留意すべきである。
【００２８】
好適なディスペンサは、量的範囲が約１〜約１０ミリリットルである投与定量の製品を分配するように設計されている。投与量は、投与チャンバ１４０の長さ及び直径に基づいて変化する投与チャンバ１４０の容量によって決まる。
【００２９】
また、このアダプタ１００は、アダプタ１００内に入ってクリーニング液の容器又はボトルの中まで続くエアインレット１２２を含む。エアインレット１２２は、タンク水がアダプタ１００内に入るのを阻止するために、エアポケット１２４で囲まれる。タンク内に分配される所定量のクリーニング薬剤を交換するために（従って、製品分配時にゴボゴボいう音を回避するために）、エアインレット１２２は、空気がボトル内に流入するのを許容する。
【００３０】
或いは、アダプタにエアインレットが用いられない場合、タンク内の水位（水レベル）の上に常にあるような容器上部の通気開口によってディスペンサを通気するようにしてもよい。好ましくは、ディスペンサは、通気開口が用いられる場合、使用のためにディスペンサに容器が装着される前に、取外し自在の接着シールやネジ留め式キャップや他のシール手段を用いてシールされる。本発明に従って容器を通気する様々の代替的方法が図４Ａ〜４Ｃ、５Ｃ〜５Ｄ、６Ｂ、８Ｆ、９Ｃ、１０Ｂ、１１Ｅ（これらの後者の実施態様については詳細に後述する）に示される。
【００３１】
また、アダプタ１００は、バルブヘッド１５２の周りに集まり易いクリーニング薬剤残留物を洗い流すために、タンク水を貯蔵及び放出するためのフロート１５４上のリザーバ１５６を含んでもよい。この水洗用（flush）リザーバ１５６は、好ましくは開いた環状のチャンバである。チャンバは、環状リブ（図示せず）を用いて細分化してもよい。
【００３２】
このディスペンサの作用は次の通りである。製品の容器が開かれて、例えば図１のシール方法によってディスペンサが容器に取り付けられる。図１２Ａ〜１２Ｊに示すように、容器は、容器の開口上に破壊式のシールを含むことができる。シールは、金属箔やプラスチックや他の材料で形成できる。シールは、ボトルキャップが取り外されてボトルが逆さにされた後でも、シールは所定位置に維持される。
【００３３】
従って、ボトルは、中に包含される製品の漏れを伴うことなくディスペンサに装着するために上下逆になるように回すことができる。アダプタは、上に向いた鋭利なシール破壊用の突起を具備するので、一度容器がアダプタに装着されると、シールは破壊される。シールが破壊した後では、容器からアダプタに液体が自由に流れる。
【００３４】
次いで、アダプタが所定位置にある容器は、例えば、バルブ出口穴１５０が下に向くように方向付けされるディスペンサ付きトイレタンクに装着される。ディスペンサがタンク壁に取り付けられる場合、殆どのディスペンサは、通常のタンクが満タンの水位にあるときに水没せしめられる。
【００３５】
次いで、容器からステージングチャンバ１２０への重力の作用によって製品が首部１３０を介して投与チャンバ１４０内に流れ落ちる。投与チャンバ１４０が製品で満たされ始めて、側部に沿ってシャトルを通り過ぎるように流れ落ち始めるとき、シャトル１４５は、シャトル１４５よりも狭い製品チャンバの首部１３０で形成される投与チャンバ１４０の上部に達するまで、製品上を浮動（フロート）し始める。
【００３６】
フロート１５４に取り付けられるバルブヘッド１５２は、トイレタンクが満たされるとき、最も高い位置にある。従って、バルブ出口穴１５０に完全に係合して、それをシールして、シャトル下の投与チャンバ１４０内の製品がトイレタンク内に分配されるのを阻止する。必要に応じて、シャトル１４５の上部は、対応するシール座が部分１３０に形成されたシール形状にすることができる。しかしながら、シャトル１４５が面１３０に対してシールすることは必要ではない。
【００３７】
ディスペンサが水洗用リザーバ１５６を具備する場合、タンク内の水位がリザーバ１５６の上縁部よりも高いので、トイレタンクの水が高いとき、ディスペンサは水で満たされる。エアインレット１２２が用いられる場合、（アダプタ１００が初めに取り付けられて逆さにされるときにエアインレットに入り込む）任意の製品は、エアインレット１２２から（ドレン）排出され、取り囲むエアポケット１２４は、捕捉された空気で満たされる。
【００３８】
トイレが洗い流されるとき、タンク内の水位は、いつものように減少する。水位が降下すると、バルブヘッド１５２に取り付けられたフロート１５４は下降し始めて、バルブ出口穴１５０を開かせる。シャトル１４５下の投与チャンバ１４０内に保持される製品は、バルブ出口穴１５０を介して、そしてバルブヘッド１５２周りの開口１５８を介して急速に流出する。そうしたように、水洗用リザーバ１５６内に包含される水はドレン排出されて、バルブヘッド１５２から残存する任意の製品を洗い落とす。
【００３９】
製品が投与チャンバから排出されるので、シャトル１４５は、重力を介して投与チャンバ１４０の底部に落下できる。この位置において、それはバルブ出口穴１５０を完全に密閉シールするように作用する。これが欠ける場合、洗浄サイクルの間に過剰なクリーナが分配されるかもしれない。
【００４０】
シャトル１４５は、バルブ出口穴１５０をシールするようにタンク内の水位が上昇してバルブヘッド１５２が上昇するまで、投与チャンバ１４０の底部に保持される。これにより、投与チャンバ１４０内でシャトル１４５を僅かに上昇させるために、シャトル１４５下のバルブ出口穴１５０内で十分な圧力を形成することが許される。次に、製品は、シャトルの側部を通り過ぎて再度流れ出ることができ、また、投与チャンバ１４０内でそれを迅速に上昇させることができる。
【００４１】
製品投与が解除されると、容器から製品チャンバ内に追加製品が動くときに容器から出て行く製品の容量を置き換えるように、エアインレット１２２から容器の中に空気が移動する。エアインレットが設けられない場合、製品が水本体内に開放された後で、水本体が上昇してバルブ出口穴１５０をシールするようにバルブヘッド１５２を押圧する前に、空気がディスペンサを通して容器に入ることができる。また、他の追加の実施態様に従い、容器の（水本体の最高レベルよりも上である）上部の開口を通して通気することができる。
【００４２】
フロートチャンバ１５４が上昇するので、バルブヘッド１５２がバルブ出口穴５０に押し入れられて、投与チャンバ１４０を再度シールする、ということが留意されるべきである。また、水位が上昇するので、任意の水洗用リザーバ１５６は、水で再度満たされる。水位が上昇し続けると、任意のエアインレットの周りの任意のエアポケットの中に空気が捕捉される。
【００４３】
重要なことには、タンク内の水位が降下するので、製品のみを分配することによって、ボウル内の水本体中に残る製品の量が最大化される。この作用によって良好なクリーニング効果が得られる。また、本発明に係るディスペンサによれば、二重制御システムの使用により、ディスペンサからの漏れや浪費が低減される。バルブヘッド１５２は、主たる制御を提供する。しかしながら、シャトル１４５は、洗浄サイクル中に分配される所定の割切れる数のクリーナよりも多くなる可能性を低下させる。
【００４４】
さて、次の実施態様を参照すると、図１及び２のディスペンサの基本原理は、別の様々な構造に組み込むことができる、ということが理解されよう。図３Ａ〜３Ｆに示すように、上部口部にネジ留めされる出荷用キャップ２０１を有するプラスチック容器２００を提供することができる。フロートバルブ２０４は、出荷のためにシュリンクラップ２０３でそれに取付けることができる。シュリンクラップを取り外すことによって、キャップ２０１及びフロート２０４を容器２００から分離することが可能になり、キャップ２０１は始末することができる。フロート２０４は、バルブ制御を提供するためにボトル２００の中に挿入することができ、ボトルは、逆さにすることができ、また、回転フック２０５に引っ掛けることができる。好適な形態において、フックは、トイレタンク壁２０８の厚さにおける任意の差異に合わせて調整されるタング２０７を有する。図４Ａ〜４Ｂは、図３Ａの実施態様パーツが本処理中に何の様に内部接続されるかを示している。
【００４５】
図５Ａ〜５Ｅは、多くの別の特徴を開示している。例えば、フック２１０は、よりコンパクトな収納のためにボトル２１１の上部凹所の中に回転して収まることができる。ゴボゴボ音を最少化するためにフロート２１３の上方にベントチューブ２１２を設けることができる。
【００４６】
図６Ａ〜６Ｃは、フロートコントロール（図示せず）が取り付け可能である下部アウトレット２３４を有する別のボトル２２５を開示している。この実施態様について異なることは、キャップ２３０及びカバー２３３を介してアクセス可能である上部詰め替え穴２３１が設けられることである。これにより、単一ボトルを何度でも使用することができる。また、下倒式のハンガーフック２３２が設けられる。
【００４７】
図７Ａ〜７Ｅは、クリーナが予め封入され得る折り畳み式のポーチ２４９を示している。それはフック２５０のバルブ突起２５６上に嵌合される下部開口２５５を有する。ポーチがうなだれないようにするためにポーチを引っ掛けることができるプロング（つの状部）２５８が設けられる。また、フロート２５７も設けられる。この実施態様は、出荷のために例えばクラムシェル２４８にコンパクトに包装され得るようにされるので好適である。
【００４８】
図８Ａ〜８Ｃ（２７０）及び図８Ｄ〜８Ｆ（２８０）の実施態様は、回転式フックを提供するための別の機構を示すための一般的な目的を有する。後者の態様は、別の収納技術を示している。
【００４９】
図９Ａ〜９Ｅの実施態様は、引きちぎりバンド３０１を有するボトル３００を示すための目的を有する。ボトル下端部は、カバータブ３０２を有する。カバータブ３０２は、３０５で持ち上げられるとき、延長部３０４を有する詰め替えボトル３０３がボトル３００を詰め替えることができるようにする。
【００５０】
図１０Ａ〜１０Ｃの実施態様は、ネジ留め式キャップ３２２付きの詰め替え用開口３２１を有するボトル３２０を示すための目的を有する。
【００５１】
図１１Ａ〜１１Ｆの実施態様は、引裂きバンド３４１付きボトル３４０をしめすための目的を有する。詰め替え用キャップ３４４及び格納式フック３４３に注目されたい。
【００５２】
図１２Ａ〜１２Ｄの実施態様４００は、フロート４０２及び浮動シャトル４０３の特定構造を示すための目的を有する。
【００５３】
図１２Ｅ〜１２Ｈの実施態様４２０は、特定のフック組立体を示すための目的を有する。
【００５４】
図１２Ｉ〜１２Ｋの実施態様４３０は、別のフック組立体４３２を示すための目的を有する。
【００５５】
図１３Ａ〜１３Ｄの実施態様４４０は、其のような装置の外観のための追加装飾を示すための目的を有する。図１３Ｅ〜１３Ｇに示すように、詰め替え用ボトルは、特に流線形の外観を有することができる。
【００５６】
図１３Ｈ〜１３Ｊの実施態様４７０は、このタイプの製品のための別の外的な装飾外観を示している。
【００５７】
図１３Ｋ〜１３Ｍの実施態様４８０は、このタイプの製品のための更に別の外的な装飾外観を示している。
【００５８】
容器が詰め替え型の場合、好ましくは容器はタンク内の水の可能な最高水位よりも上にある開口を具備し、これにより、容器及び取付け済みディスペンサをタンクから取り外すことなく詰め替えを行うことが可能である。
【００５９】
容器が使い捨て型の場合、容器のアウトレット上方に破壊式シールを補助的に含むことができる。シールによって使用者は容器アウトレットから保護キャップを取り外すことができ、また、収容されている液体をこぼすことなくアダプタへの装着のために逆さにすることができる。この態様において、ディスペンサは、ディスペンサへの容器の装着時に破壊式シールを穿孔し得る部分を有しており、収容されている液体を容器から出すことができる。破壊式シールは、プラスチックや箔（例えば、アルミ箔）や他の適当な材料から形成できる。シールを穿孔するディスペンサの部分は、鋭利な尖った端部を有することができる。
【００６０】
さて、２つの好適な実施態様の一方に転じると、図１４は、ホルスタ１０とスタンド１１と取り外し式ボトル１２を示している。好ましくはボトルは、握り領域を提供するための切除部１３とマウス１４を有する。選んだ化学的クリーナで満たすことができるボトル内部の普通のキャビティ１５が設けられる。
【００６１】
出荷のために穿孔可能なアルミ箔シール１６は、ボトルのマウスに接着され、キャップ１７は、普通のネジを介してボトルを解除自在に閉塞する。ホルスタ１０は、トイレタンク壁やその他（図示せず）に取付けるためのフック２０を具備する。
【００６２】
また、中心軸ボア２４及び上側の尖頭部の側部開口２３を有する穿孔部材２２を有するアダプタ（全体的に２１）も設けられる。カラー２５は、ホルスタ１０の下端部にスナップ嵌合するように設計される。
【００６３】
シャトル２６は、中心軸ボア２４に挿入される。次いで、第１フロート部２８は、穿孔部材の中心セクションの周りに位置決めされる。キャップ３０は、第１フロート部を捕捉するあえに穿孔部材の底部にスナップ嵌合する。次いで、第２フロート部２９は、第１フロート部にスナップ嵌合する。第２フロート部２９は、バルブヘッド３１並びにその上の通路３２（キャップ３０の出口開口３３をヘッドがシールしていないときに延出できる）を有する、ということに特に留意すべきである。
【００６４】
製品は、図１４に示す形式で購入される。消費者は、保護スタンド１１をボキッと折り、そのホルスタからボトル１２を一時的に取り外し、キャップ１７のネジを緩め、ホルスタのボトルを徐々に差し替えて、タンク壁に組立体を引っ掛ける。
【００６５】
次いで、消費者は、ボトルを下方に押圧して、穿孔ポスト２２でシール１６を穿孔せしめて、クリーニング製品が側部開口２３に、そしてボア２４に下降流出するのを可能にする。クリーナ液体の比重がシャトル２６のそれよりも大きいので、シャトルは、側部開口２３を実質的に閉じるまで、ボア２４内で上側を浮遊する。しかしながら、この時点では、クリーナは、ヘッド３１が出口開口３３を閉じているので、ディスペンサから出ることができない。これに関して、フロート組立体２８及び２９は水によって跳ね上げられて、要素３１及び３３の間の確実なシールを形成する。図１６を概略参照のこと。
【００６６】
洗浄サイクルが開始されるとき、フロート組立体は、フロート部２８のエッジ５０がキャップ３０の上部に対して当接するまで水と共に降下する。この時点では、ヘッド３１は、もはや出口開口３３をシールしない。次いで、クリーナは、ボア２４からリザーバ５１内にドレン排出される。通路３２への出口（アウトレット）を通り過ぎてタンク水内に至る。
【００６７】
しかしながら、これが偶発事態であるようにシャトル２６は、ボア２４の底部まで降下し、これによりシャトルの尖頭部は、その上端部から出口開口３３を隔離シールする。ここでタンク内の空気は、ボトル内部の通気のために、フロート部２８及びホルスタ１０の間のギャップを介してボトルにアクセス可能である。従って、如何に迅速にタンクが詰め替えられようとも、単一計量済みの割切れる数のクリーナ（a single measured aliquot of cleaner）のみが、各水洗作業の下降ストロークの間に分配される。図１７を参照のこと。
【００６８】
タンク詰め替え時にヘッド３１は、底部から出口３３をシールすると共に、シャトルを僅かに突き上げる。これによりシャトル上方にある製品がシャトルを通り過ぎて下側に継続的に流出することが可能である。次いで、シャトルは次のサイクルのためにオリジナルのポジションまで浮遊上昇する。
【００６９】
恐らく最も好適な本発明の態様は図１８〜２０に示されている。上端に一体の固定フック５０１を有し、下端に出口管路５０２を有するホルスタ５００が設けられる。内部構造の大半（例えば、浮動シャフト５０５）は、他の実施態様と大部分が同じである。しかしながら、この実施態様は、特定目的のために幾つかの変更を有する。例えば、上端においてシャトル５０５用バルブシートを提供し、下端においてピン用バルブシートを提供するグロメット５０６が具備されるように設計される。
【００７０】
下部バルブシート５０８は円錐状に描かれているが、それに代えて半球状にすることができ、浮動バルブのバルブピンは対応するように半球状にすることができる。浮動シャトルのバルブヘッド５０９は、円錐台として描かれており、上部グロメット面には、対応する形状のシートを有する。しかしながら、それ代えてヘッド５０９は端部が僅かにテーパが付けられた略シリンダ形状にすることができる。
【００７１】
必要に応じて、上部グロメット面は、下部グロメット面よりもソフトな材料で形成することができる。これにより、グロメット底部の露出面がトイレタンク環境による悪化に耐え得るようにしつつ、ヘッド５０９付きシールを最適なものにすることができる。
【００７２】
上述した実施態様は、本発明の実施態様の代表であって、図示する目的のためだけに提供されている。それらは、本発明の範囲を制限するように意図されたものではない。構成要素や材料や構成や各種部品をつなぐ手段が図示及び説明されているが、それらは制限ではない。本発明の範囲内で変更や変形が考慮され、添付される請求項の範囲のみによって制限されることが意図されている。
【産業上の利用可能性】
【００７３】
本発明は、上下動する水位を有する水本体の中に所定化学薬物を分配するためのディスペンサを提供する。
【図面の簡単な説明】
【００７４】
【図１】タンクが満タンのときに其のように見えるように図示される本発明に係るインタンク型ディスペンサの内部作動要素の図解的な断面図である。
【図２】図１に似た図であるが、タンクが空のときに装置が其のように見えるような図である。
【図３Ａ】小売りのために供給されるような本発明に従ったディスペンサ（の逆さ状態）を示す図である。
【図３Ｂ】図３Ａのディスペンサを示す図であるが、シュリンクラップ覆いが取り外され、出荷キャップが捨てられようとしている、図である。
【図３Ｃ】図３Ｂのディスペンサを示す図であるが、使用のために逆さにされ、アダプタが完全に差し込まれ、取付けフックが取付け位置にある、図である。
【図３Ｄ】図３Ｂに似た図であるが、其のようなディスペンサが何のように詰め替えられ得るのかを示す図である。
【図３Ｅ】トイレタンク壁に取付けられるディスペンサを示す図３Ｃの上部の図解的断面図である。
【図３Ｆ】図３Ｅに似た図であるが、取付け装置が出荷位置にあるように描かれている、図である。
【図４Ａ】図３Ａの出荷構成に組み立てされたときにディスペンサ部品が何のように見えるかを示す図解図である。
【図４Ｂ】ディスペンサ部品が何のように図３Ｂ構成に位置決めされるかを示す断面図である。
【図４Ｃ】図３Ｂ構成の後における組み立ての次段階を示す断面図である。
【図５Ａ】取付け装置が２つの選択的な位置に示されている、ディスペンサシステムの使用時における容器の側面立面図である。
【図５Ｂ】（取付け装置が収納位置にある）上面図である。
【図５Ｃ】アダプタが取付け済みであるが、図５Ａ装置の鉛直断面図である。
【図５Ｄ】分配用通気路がある図５Ｃのアダプタの拡大図である。
【図５Ｅ】図５Ｄに似た図であるが、通気路を有しないアダプタの図である。
【図６Ａ】収納のために容器凹所に挿入されるように軸方向に位置決めされ得る取付けフックを有するディスペンサを示す図である。
【図６Ｂ】図６Ａに似た図であるが、容器が取り外し自在タイプから成り、出口が中心である必要のないことを示している図である。
【図６Ｃ】図６Ｂに似た図であるが、図６Ｂの容器が必要に応じて詰め替えられ得ることを示している図である。
【図７Ａ】可撓性ポーチを容器にすることができ、其の場合に、収容のために何のように構成されるかや使用のために何のように組み立てられるかを示す図である。
【図７Ｂ】可撓性ポーチを容器にすることができ、其の場合に、収容のために何のように構成されるかや使用のために何のように組み立てられるかを示す図である。
【図７Ｃ】可撓性ポーチを容器にすることができ、其の場合に、収容のために何のように構成されるかや使用のために何のように組み立てられるかを示す図である。
【図７Ｄ】可撓性ポーチを容器にすることができ、其の場合に、収容のために何のように構成されるかや使用のために何のように組み立てられるかを示す図である。
【図７Ｅ】可撓性ポーチを容器にすることができ、其の場合に、収容のために何のように構成されるかや使用のために何のように組み立てられるかを示す図である。
【図８Ａ】容器、ディスペンサ、及びハンガーのための様々な可能な代替的な外観設計を示す図である。
【図８Ｂ】容器、ディスペンサ、及びハンガーのための様々な可能な代替的な外観設計を示す図である。
【図８Ｃ】容器、ディスペンサ、及びハンガーのための様々な可能な代替的な外観設計を示す図である。
【図８Ｄ】容器、ディスペンサ、及びハンガーのための様々な可能な代替的な外観設計を示す図である。
【図８Ｅ】容器、ディスペンサ、及びハンガーのための様々な可能な代替的な外観設計を示す図である。
【図８Ｆ】容器、ディスペンサ、及びハンガーのための様々な可能な代替的な外観設計を示す図である。
【図９Ａ】引裂きバンド覆い付きの保護キャップを有するディスペンサを示し、引っ掛け組立体及び詰め替え用ポート開口を示している図である。
【図９Ｂ】引裂きバンド覆い付きの保護キャップを有するディスペンサを示し、引っ掛け組立体及び詰め替え用ポート開口を示している図である。
【図９Ｃ】引裂きバンド覆い付きの保護キャップを有するディスペンサを示し、引っ掛け組立体及び詰め替え用ポート開口を示している図である。
【図９Ｄ】引裂きバンド覆い付きの保護キャップを有するディスペンサを示し、引っ掛け組立体及び詰め替え用ポート開口を示している図である。
【図９Ｅ】引裂きバンド覆い付きの保護キャップを有するディスペンサを示し、引っ掛け組立体及び詰め替え用ポート開口を示している図である。
【図１０Ａ】取り外し型の薄膜及びネジキャップで覆われる詰め替えポートを有するディスペンサを示す図である。
【図１０Ｂ】取り外し型の薄膜及びネジキャップで覆われる詰め替えポートを有するディスペンサを示す図である。
【図１０Ｃ】取り外し型の薄膜及びネジキャップで覆われる詰め替えポートを有するディスペンサを示す図である。
【図１１Ａ】消費者によって取り外される引裂きバンドを用いて容器底部が固定されている、組込み済みの分配装置及びハンガー付きの容器を示す図である。
【図１１Ｂ】消費者によって取り外される引裂きバンドを用いて容器底部が固定されている、組込み済みの分配装置及びハンガー付きの容器を示す図である。
【図１１Ｃ】消費者によって取り外される引裂きバンドを用いて容器底部が固定されている、組込み済みの分配装置及びハンガー付きの容器を示す図である。
【図１１Ｄ】消費者によって取り外される引裂きバンドを用いて容器底部が固定されている、組込み済みの分配装置及びハンガー付きの容器を示す図である。
【図１１Ｅ】消費者によって取り外される引裂きバンドを用いて容器底部が固定されている、組込み済みの分配装置及びハンガー付きの容器を示す図である。
【図１１Ｆ】消費者によって取り外される引裂きバンドを用いて容器底部が固定されている、組込み済みの分配装置及びハンガー付きの容器を示す図である。
【図１２Ａ】ディスペンサが穿孔装置を含み、容器がそれらの開口を覆う穿孔可能な薄膜を有する、組込み済みの分配装置及びハンガー付きの容器の断面図である。
【図１２Ｂ】ディスペンサが穿孔装置を含み、容器がそれらの開口を覆う穿孔可能な薄膜を有する、組込み済みの分配装置及びハンガー付きの容器の断面図である。
【図１２Ｃ】ディスペンサが穿孔装置を含み、容器がそれらの開口を覆う穿孔可能な薄膜を有する、組込み済みの分配装置及びハンガー付きの容器の断面図である。
【図１２Ｄ】ディスペンサが穿孔装置を含み、容器がそれらの開口を覆う穿孔可能な薄膜を有する、組込み済みの分配装置及びハンガー付きの容器の断面図である。
【図１２Ｅ】ディスペンサが穿孔装置を含み、容器がそれらの開口を覆う穿孔可能な薄膜を有する、組込み済みの分配装置及びハンガー付きの容器の断面図である。
【図１２Ｆ】ディスペンサが穿孔装置を含み、容器がそれらの開口を覆う穿孔可能な薄膜を有する、組込み済みの分配装置及びハンガー付きの容器の断面図である。
【図１２Ｇ】ディスペンサが穿孔装置を含み、容器がそれらの開口を覆う穿孔可能な薄膜を有する、組込み済みの分配装置及びハンガー付きの容器の断面図である。
【図１２Ｈ】ディスペンサが穿孔装置を含み、容器がそれらの開口を覆う穿孔可能な薄膜を有する、組込み済みの分配装置及びハンガー付きの容器の断面図である。
【図１２Ｉ】ディスペンサが穿孔装置を含み、容器がそれらの開口を覆う穿孔可能な薄膜を有する、組込み済みの分配装置及びハンガー付きの容器の断面図である。
【図１２Ｊ】ディスペンサが穿孔装置を含み、容器がそれらの開口を覆う穿孔可能な薄膜を有する、組込み済みの分配装置及びハンガー付きの容器の断面図である。
【図１２Ｋ】ディスペンサが穿孔装置を含み、容器がそれらの開口を覆う穿孔可能な薄膜を有する、組込み済みの分配装置及びハンガー付きの容器の断面図である。
【図１３Ａ】キャップに組込み済みの分配装置とハンガーとを備えた容器を示す図である。
【図１３Ｂ】キャップに組込み済みの分配装置とハンガーとを備えた容器を示す図である。
【図１３Ｃ】キャップに組込み済みの分配装置とハンガーとを備えた容器を示す図である。
【図１３Ｄ】キャップに組込み済みの分配装置とハンガーとを備えた容器を示す図である。
【図１３Ｅ】キャップに組込み済みの分配装置とハンガーとを備えた容器を示す図である。
【図１３Ｆ】キャップに組込み済みの分配装置とハンガーとを備えた容器を示す図である。
【図１３Ｇ】キャップに組込み済みの分配装置とハンガーとを備えた容器を示す図である。
【図１３Ｈ】キャップに組込み済みの分配装置とハンガーとを備えた容器を示す図である。
【図１３Ｉ】キャップに組込み済みの分配装置とハンガーとを備えた容器を示す図である。
【図１３Ｊ】キャップに組込み済みの分配装置とハンガーとを備えた容器を示す図である。
【図１３Ｋ】キャップに組込み済みの分配装置とハンガーとを備えた容器を示す図である。
【図１３Ｌ】キャップに組込み済みの分配装置とハンガーとを備えた容器を示す図である。
【図１３Ｍ】キャップに組込み済みの分配装置とハンガーとを備えた容器を示す図である。
【図１４】出荷中又は収容中における使用前にトイレタンクの外側にあると思われる構成の、本発明の最も好適なディスペンサの斜視図である。
【図１５】図１４装置の、部分的に断面した前面立面図である。
【図１６】図１５に若干似た図であるが、下部スタンドが取り外され、ボトルキャップが取り外され、ボトルがボトルシールを穿孔するために押し下げられ（この構成では装置が満タンのトイレタンク内にあると仮定される）、図である。
【図１７】図１６に似た図であるが、トイレタンク水が満タンレベルにないときの構成を示している、図である。
【図１８】詰め替えボトルが取り外されているディスペンサの別の実施態様の前方左上方からの斜視図である。
【図１９】図１８のディスペンサ前面立面図である。
【図２０】図１９の２０−２０線に沿う断面図である。
【国際公開パンフレット】
2004522021.tif 000003
2004522021.tif 000004
2004522021.tif 000005
2004522021.tif 000006
2004522021.tif 000007
2004522021.tif 000008
2004522021.tif 000009
2004522021.tif 000010
2004522021.tif 000011
2004522021.tif 000012
2004522021.tif 000013
2004522021.tif 000014
2004522021.tif 000015
2004522021.tif 000016
2004522021.tif 000017
2004522021.tif 000018
2004522021.tif 000019
2004522021.tif 000020
2004522021.tif 000021
2004522021.tif 000022
2004522021.tif 000023
2004522021.tif 000024
2004522021.tif 000025
2004522021.tif 000026
2004522021.tif 000027
2004522021.tif 000028
2004522021.tif 000029
2004522021.tif 000030
2004522021.tif 000031
2004522021.tif 000032
2004522021.tif 000033
2004522021.tif 000034
2004522021.tif 000035
2004522021.tif 000036
2004522021.tif 000037
2004522021.tif 000038
2004522021.tif 000039
2004522021.tif 000040
2004522021.tif 000041
2004522021.tif 000042
2004522021.tif 000043
2004522021.tif 000044
2004522021.tif 000045
2004522021.tif 000046
2004522021.tif 000047
2004522021.tif 000048
2004522021.tif 000049
2004522021.tif 000050
2004522021.tif 000051
2004522021.tif 000052
2004522021.tif 000053
2004522021.tif 000054
2004522021.tif 000055
2004522021.tif 000056
2004522021.tif 000057
2004522021.tif 000058
2004522021.tif 000059
2004522021.tif 000060
2004522021.tif 000061
【手続補正書】
【提出日】平成16年1月9日(2004.1.9)
【手続補正１】
【補正対象書類名】特許請求の範囲
【補正対象項目名】全文
【補正方法】変更
【補正の内容】
【特許請求の範囲】
【請求項１】
分配可能な製品を包含する容器（200）と、
それから該分配可能製品を受け取るために容器（200）に取付けるためのアダプタ（100）と、
下部開口（150）を有するアダプタ（100）内の投与チャンバ（140）と、
投与チャンバ（140）のために下部開口（150）を選択的に開閉するための投与チャンバ（140）外部に位置決めされる浮動し得るバルブヘッド（152）と、
を含む、液位が上下動し得るタンクに使用するディスペンサにおいて、
投与チャンバ（140）内には、浮動するシャトル（145）が設けられ、該シャトルは、１つのモードでは下部開口（150）を実質的にシールでき、投与チャンバ（140）内の製品レベルに応じてシールモードから離れるように上方に選択的に浮動できることを特徴とするディスペンサ。
【請求項２】
浮動シャトルのためのバルブシートを構成するために投与チャンバの下部開口の近傍に位置決めされる投与チャンバと一体でないグロメットを更に含む、請求項１記載のディスペンサ。
【請求項３】
グロメットは、浮動バルブヘッドのためのバルブシートを提供する、請求項２記載のディスペンサ。
【請求項４】
浮動バルブヘッドのためのバルブシートは、実質上、半球状の外観を有する、請求項３記載のディスペンサ。
【請求項５】
グロメットは、第１材料から構成される上部層と、第１材料とは異なる第２材料から構成される下部層と、から形成され、浮動シャトルのためのバルブシートは、第１材料から構成され、浮動バルブヘッドのためのバルブシートは、第２材料から構成される、請求項２記載のディスペンサ。
【請求項６】
容器内への空気口を更に含む、請求項１記載のディスペンサ。
【請求項７】
空気口はエアポケットによって囲まれる、請求項６記載のディスペンサ。
【請求項８】
浮動バルブヘッドはリザーバによって囲まれる、請求項６記載のディスペンサ。
【請求項９】
容器の開口は容器がディスペンサに関係するときに穿孔されるシール残余物を含み、アダプタは、シールを穿孔した投与チャンバ上方の穿孔要素を有する、請求項６記載のディスペンサ。
【請求項１０】
容器は、実質上、剛性プラスチック容器である、請求項９記載のディスペンサ。
【請求項１１】
容器は詰め替えポートを含む、請求項６記載のディスペンサ。
【請求項１２】
容器は可撓性ポーチである、請求項６記載のディスペンサ。
【請求項１３】
製品は、流動性ゲル又は液体から成るグループから選択したクリーニング薬剤を含む、請求項１記載のディスペンサ。
【請求項１４】
浮動シャトルは、製品の比重よりも低い比重を有する、請求項１記載のディスペンサ。
【請求項１５】
ディスペンサがタンクに装着され、タンク内の液位が所定の満タンレベルであるとき、浮動バルブヘッドは、投与チャンバの下部開口をシールする位置まで液体により駆動され得る、請求項１記載のディスペンサ。
【請求項１６】
ディスペンサがタンクに装着され、タンク内の液体が空であるとき、バルブヘッドは、投与チャンバ内の製品投与分がディスペンサから分配され得るようにするために、投与チャンバの下部開口をシールする位置から遠ざかるように下降し得る、請求項１５記載のディスペンサ。
【請求項１７】
液位が上下動し得るタンクに使用するディスペンサにおいて、
クリーニング液体を含む容器と、
容器に取付けるためのアダプタと、
浮動するシャトルを内部に有するアダプタ内の投与チャンバであって、該シャトルが、１つのモードでは投与チャンバの下部開口を実質的にシールでき、シールモードでは離間するように上方に選択的に浮動できる、投与チャンバと、
投与チャンバの下部開口を選択的に開閉するための投与チャンバ外部に位置決めされる浮動し得るバルブヘッドと、
を含むディスペンサ。
【請求項１８】
水収容タンク及びボウルを有するトイレのクリーニング方法において、
（a）ディスペンサが、分配できる製品を含む容器と、容器に取付けるためのアダプタと、浮動するシャトルを内部に有する、アダプタ内の投与チャンバであって、該シャトルが、１つのモードでは投与チャンバの下部開口を実質的にシールでき、シールモードでは離間するように上方に選択的に浮動できる、投与チャンバと、投与チャンバの下部開口を選択的に開閉するための投与チャンバ外部に位置決めされる浮動し得るバルブヘッドと、を含み、ディスペンサが、タンクの水位が浮動バルブヘッドの動きを制御し且つ投与チャンバ内の製品レベルが投与チャンバ内の浮動シャトルの動きを制御するように配置及び構成される、該ディスペンサをタンクに挿入するステップと、
（b）トイレを洗浄するステップと、
を含む方法。
【請求項１９】
浮動シャトルのためのバルブシートを構成するために投与チャンバの下部開口の近傍に位置決めされる投与チャンバと一体でないグロメットを更に有する、請求項１８記載の方法。
【請求項２０】
タンク内の水位が所定レベルよりも下である間はディスペンサが製品を分配する、請求項１８記載の方法。原請求項１乃至２１を、補正請求項１乃至２０に補正した。なお、原請求項２を削除したため、補正請求項においては請求項３以降を繰り上げて記載した。
【国際調査報告】
2004522021.tif 000062
2004522021.tif 000063